(57)【要約】  受信器用の自動ゲイン制御（ＡＧＣ）システム及びこのシステムに対応して受信器においてＡＧＣを容易にする方法。ＡＧＣシステムは、オンチャンネルＡＧＣ自動ゲイン制御（ＡＧＣ）インジケーションを提供するように構成されるオンチャンネル検出器（１２３）と、オフチャンネルＡＧＣインジケーションを提供するように構成されるオフチャンネル信号検出器（１４５）と、オンチャンネルＡＧＣインジケーションのうちのオフチャンネルＡＧＣインジケーションとに結合され、オンチャンネルＡＧＣインジケーションとオフチャンネルＡＧＣインジケーションと少なくとも一つに対応するゲイン制御信号を提供するように構成されるコントローラ（１４３，１７３）とを含む。
2008535376.tif 000002
【特許請求の範囲】
【請求項１】
受信機用自動ゲイン制御システムであって、
オンチャンネル自動ゲイン制御（ＡＧＣ）インジケーションを提供するように構成されるオンチャンネル検出器と、
オフチャンネルＡＧＣインジケーションを提供するように構成されるオフチャンネル信号検出器と、
前記オンチャンネルＡＧＣインジケーションと前記オフチャンネルＡＧＣインジケーションとに結合され、且つ前記オンチャンネルＡＧＣインジケーションと前記オフチャンネルＡＧＣインジケーションとの少なくとも一つに対応するゲイン制御信号を提供するように構成されるコントローラと
を備える自動ゲイン制御システム。
【請求項２】
前記オフチャンネル信号検出器は、広帯域電力検出器と広帯域ピーク検出器とのうちの少なくとも一つを更に含む、請求項１に記載の自動ゲイン制御システム。
【請求項３】
前記オフチャンネル信号検出器は、アナログ・デジタル変換器からのデジタル信号に結合される広帯域デシメーション・フィルタを更に含む、請求項１に記載の自動ゲイン制御システム。
【請求項４】
前記オフチャンネル信号検出器は、オンチャンネル信号を抑制するように構成されるハイパス・フィルタを更に含む、請求項３に記載の自動ゲイン制御システム。
【請求項５】
前記オフチャンネル信号検出器は、干渉電力レベル対広帯域閾値及び干渉ピーク・レベル対狭帯域閾値のうちの、少なくとも一つを比較するための比較器を更に備える、請求項１に記載の自動ゲイン制御システム。
【請求項６】
前記コントローラは、前記オンチャンネルＡＧＣインジケーションに結合されるオンチャンネル・コントローラと、前記オフチャンネルＡＧＣインジケーションに結合されるオフチャンネル・コントローラとを更に含み、前記オンチャンネル・コントローラと前記オフチャンネル・コントローラとは前記ゲイン制御信号を提供するように協調して動作可能である、請求項１に記載の自動ゲイン制御システム。
【請求項７】
前記オンチャンネルＡＧＣインジケーションがオンチャンネル閾値を下回るオンチャンネル信号に対応し、且つ前記オフチャンネルＡＧＣインジケーションがオフチャンネル閾値を上回るオフチャンネル信号に対応するとき、オンチャンネル・コントローラが停止し、オフチャンネル・コントローラがゲイン制御信号を提供する、請求項６に記載の自動ゲイン制御システム。
【請求項８】
前記ゲイン制御信号に従って受信信号を増幅するように動作可能な、可変ゲイン・アンプを更に備える、請求項６に記載の自動ゲイン制御システム。
【請求項９】
受信器において自動ゲイン制御（ＡＧＣ）を容易にする方法であって、
オンチャンネルＡＧＣインジケーションとオフチャンネルＡＧＣインジケーションとを提供すること、
前記オンチャンネルＡＧＣインジケーションと前記オフチャンネルＡＧＣインジケーションとのうちの、少なくとも一つを選択すること、
前記選択に応答して、前記オンチャンネルＡＧＣインジケーションと前記オフチャンネルＡＧＣインジケーションとのうちの、少なくとも一つに依存するゲイン制御信号を提供すること
を備える方法。
【請求項１０】
前記オンチャンネルＡＧＣインジケーションと前記オフチャンネルＡＧＣインジケーションとを前記提供することは、オフチャンネル閾値を満たす干渉に対応するオフチャンネルＡＧＣインジケーションを提供すること、及びオンチャンネル閾値を満たさないオンチャンネル信号に対応するオンチャンネル・インジケーションを提供することを更に含み、
前記選択することは前記オフチャンネルＡＧＣインジケーションを選択することを更に含み、
ゲイン制御信号を前記提供することは、前記オフチャンネルＡＧＣインジケーションに応答するゲイン制御信号を提供すること、及びオンチャンネルＡＧＣ制御を少なくとも部分的に利用不可能にすることを更に含む、
請求項９に記載の方法。
【請求項１１】
前記オフチャンネルＡＧＣインジケーションが前記オフチャンネル閾値をもはや満たさなくなるまでゲイン制御を前記提供することを繰り返すこと及び、次に回復モードをイネーブル状態にすることであって、前記ＡＧＣ制御が可能になり、ゲイン制御信号を前記提供することは前記オンチャンネルＡＧＣインジケーションに応答することである回復モードをイネーブル状態にすることを更に備える、請求項１０に記載の方法。
【請求項１２】
前記オンチャンネルＡＧＣインジケーションと前記オフチャンネルＡＧＣインジケーションとを前記提供することは、オフチャンネル閾値を満たすオフチャンネルＡＧＣインジケーションを提供することを更に含み、
前記選択することは前記オフチャンネルＡＧＣインジケーションを選択することを更に備え、
ゲイン制御信号を前記提供することは、前記オフチャンネルＡＧＣインジケーションに応答して前記ゲイン制御信号を提供することを更に含む、
請求項９に記載の方法。
【請求項１３】
前記オンチャンネルＡＧＣインジケーションと前記オフチャンネルＡＧＣインジケーションとを前記提供することは、オンチャンネル閾値を満たすオンチャンネルＡＧＣインジケーションを提供することを更に備える、請求項１２に記載の方法。
【請求項１４】
前記オンチャンネルＡＧＣインジケーションと前記オフチャンネルＡＧＣインジケーションとを前記提供することは、電力閾値とピーク閾値とのうちの少なくとも一つを満たす干渉に対応するオフチャネンネルＡＧＣインジケーションを提供することを更に含む、請求項１２に記載の方法。
【請求項１５】
前記オフチャンネルＡＧＣインジケーションを前記提供することは、アナログ・デジタル変換器の出力における受信器の信号をハイパス・フィルタリングして干渉信号を提供すること、及び前記干渉信号のオフチャンネル電力レベルと前記干渉信号のオフチャンネル・ピーク・レベルとのうちの、少なくとも一つを対応する閾値と比較することを更に含む、請求項９に記載の方法。
【請求項１６】
前記干渉信号のオフチャンネル電力レベルを前記比較することは、前記オフチャンネル電力レベルを広帯域符号分割多元接続（Ｗ−ＣＤＭＡ）干渉信号に対応する閾値と比較することを更に含む、請求項１５に記載の方法。
【請求項１７】
前記干渉信号のオフチャンネル・ピーク・レベルを前記比較することは、前記オフチャンネル・ピーク・レベルを携帯通信用汎用システム（ＧＳＭ）干渉信号に対応する閾値と比較することを更に含む、請求項９に記載の方法。
【請求項１８】
受信器用の自動ゲイン制御を容易にする集積回路であって、
狭帯域ＡＧＣ検出器と、
デジタル広帯域ＡＧＣ検出器と、
前記狭帯域ＡＧＣ検出器と前記デジタル広帯域ＡＧＣ検出器とに結合され、ゲイン制御信号を提供するように構成されるコントローラと
を備える集積回路。
【請求項１９】
前記ゲイン制御信号に結合される制御入力と、受信器信号に結合される入力と、前記ゲイン制御信号により調整されるレベルで前記受信器信号を提供するように配置された出力とを有する制御可能なゲイン・アンプと、
前記制御可能なゲイン・アンプの前記出力に結合される入力を有するアナログ・デジタル変換器（ＡＤＣ）と
を更に備える、請求項１８に記載の集積回路。
【請求項２０】
前記狭帯域ＡＧＣ検出器は前記ＡＤＣの前記出力とオンチャンネル信号レベル検出器とに結合される狭帯域幅フィルタを更に含み、
前記デジタル広帯域ＡＧＣ検出器は、前記ＡＤＣの前記出力に接続される広帯域幅フィルタと、前記広帯域幅フィルタの出力に結合されるハイパス・フィルタと、オフチャンネル干渉レベル検出器とを更に含む、
請求項１８に記載の集積回路。
【発明の詳細な説明】
【技術分野】
【０００１】
本発明は一般に通信用受信器に関連し、より詳細には広帯域干渉信号検出器を含む自動ゲイン制御（ＡＧＣ）システムに関連する。
【背景技術】
【０００２】
自動ゲイン制御又はＡＧＣシステムは公知であり、広範に利用されている。しかし、ＵＭＴＳ（汎用携帯電話システム：Ｕｎｉｖｅｒｓａｌ  Ｍｏｂｉｌｅ  Ｔｅｌｅｐｈｏｎｅ  Ｓｙｓｔｅｍ）のように開発され且つ提案され、無線インターフェイスに関してＷＣＤＭＡ（広帯域符号分割多元接続）としても公知である、既存の通信システムは、複雑な変調方式とチャンネル符号化方式とを伴う比較高速なデータ通信を考慮に入れており、これらの方式の各々は、これらのシステム用に開発される受信器で利用される全ＡＧＣシステムについて、非常に厳しい要求を受けることが予想される。公知のＡＧＣシステムは典型的には、チャンネルの信号レベルを評価して、それに従ってゲイン調整を行う。
【０００３】
受信器のアーキテクチャは進化しており、部分的には経済的な圧力により、受信器のフロント・エンドと中間周波数（ＩＦ）の段階で組み込まれる選択肢はほとんど存在しない。実施者は、この選択肢を組み込む代わりに、後の段階のデジタル処理を選択している。残念ながら、信号の広帯域は、フロント・エンド、ＩＦの段階、又は（アナログで受信した信号をデジタル領域に変換するために利用される）アナログ・デジタル変換器（ＡＤＣ）に存在する。フロント・エンドと、ＩＦの段階又はＡＤＣのような受信器の特定の後半の段階が大きな隣接帯域又は帯域外（オフチャンネル）信号により過負荷になる可能性は、選択肢の低減に伴って増加する。
【発明の開示】
【発明が解決しようとする課題】
【０００４】
このことにより、ＡＤＣのコスト効率にとって（動的範囲を超える）深刻な過負荷条件が引き起こされる。
【発明を実施するための最良の形態】
【０００５】
概略として、本開示は、通信ユニット又はより詳細には、それを操作するユーザにサービスを提供する通信システム及び装置に関する。より詳細には、自動ゲイン制御（ＡＧＣ）システムは受信器の様々な機能を、オフチャンネル又は帯域外信号から保護するだけでなく、通常のオンチャンネルＡＧＣを動作する、通信ユニットの受信器のＡＧＣシステムを提供するための装置及び方法で実施される、様々な独創的な概念及び原理が説明され且つ記載される。特に関心があるシステム及び受信器は、ＵＭＴＳ（汎用携帯電話システム：Ｕｎｉｖｅｒｓａｌ  Ｍｏｂｉｌｅ  Ｔｅｌｅｐｈｏｎｅ  Ｓｙｓｔｅｍ）／ＷＣＤＭＡ（広帯域符号分割多元接続）システム及び類似システムだけでなくその拡張形、及び発展形、及びその中で動作するシステム及び装置のようなその他のものであり、特に、従来のＧＳＭ（携帯用汎用システム：Ｇｌｏｂａｌ  Ｓｙｓｔｅｍ  ｆｏｒ  Ｍｏｂｉｌｅ）のような他のシステムと共存し且つ共動するシステム及び装置である。受信器又はＵＭＴＳ／Ｗ−ＣＤＭＡシステムを採用して記載されるが、本発明に従う概念及び原理は、ノイズ又は他の望ましくない理由のために過負荷状況が存在する、デジタル信号処理の分野における数多くのシステムに応用可能であると確信されることに留意されたい。
【０００６】
以下で更に説明されるように、様々な独創的な原理及びその組み合わせが有利に採用されて、例えばアナログ・デジタル変換器（ＡＤＣ）のような、一つ以上の機能の過負荷の結果生じるオフチャンネル又は帯域外信号を検出し、必要な効果に応じて、そのような状況においてゲイン低下が制御され、故に、さもなければ発生する、任意の有害な影響を避ける。この独創的なＡＧＣシステム及び技術は、例示的なＷＣＤＭＡ受信器内で特に有利に利用され、それにより公知のＡＧＣシステムに関連する様々な問題を緩和し、自動且つ低電力なＡＧＣシステムを提供しつつ、低コストで高性能な受信器を容易にし、提供されるこれらの原理又はその均等物が利用される。
【０００７】
本開示は、本発明に従う様々な実施形態を作成及び利用する、可能な方法のうちの最良の態様を更に説明するために提供される。本開示は、本発明をいかなる方法でも制限することではなくむしろ、独創的な原理及びその利点を理解及び認識を向上させることが更に要請される。本発明は本出願の継続期間に成される任意の補正を含む添付された請求項及びこれらの請求項により意図される全均等物のみにより定義される。
【０００８】
第一及び第二と、上及び下等のような関連する用語を利用している場合、あるエントリ又は動作を他者から区別するために単独で利用されるが、必ずしもそのようなエントリ又は動作間の関連又は順番のようないかなる事実も必要又は暗示するわけではないことが更に理解される。
【０００９】
多数の独創的な機能及び数多くの独創的な原理は、例えば特定用途向けＩＣのようなカスタム又はセミカスタムＩＣのような集積回路（ＩＣ）及びソフトウェア又はファームウェア命令において最良な形で実施される。本明細書に開示される概念及び原理により導かれると、例えば、利用可能な時間、現在の技術、及び経済状況などにより動機付けられる多くの努力及び数多くの設計選択の可能性があるにもかかわらず、当業者は、そのような命令及びＩＣを最低限の実験を行うことによ生成することができることが期待される。従って、簡潔性及び本発明に従う原理及び概念とを分かりにくくするいかなるリスクを最小化することの利益にかなうように、そのようなソフトウェア及びＩＣの更なる説明は、必要であれば、好適な実施形態の原理及び概念に関する本質に制限される。
【００１０】
同じ参照番号が、同じ又は機能的に類似する要素を全図を通して参照し、以下の詳細な記載と共に添付される図面は、明細書の全体及び一部と一体化されて、様々な実施形態を更に図示するために提供され、本発明に従う様々な原理及び利点の全てを説明する。  図１を参照すると、自動ゲイン制御（ＡＧＣ）システムの様々な実施形態の一つを含む、例示的な受信器の一部が説明され且つ記載される。図１の受信部は、高レベルの集積化と高速のデータ信号の複雑な変調を処理することに適する、ＷＣＤＭＡ又はＵＭＴＳ信号用の受信器、又は他の比較的広帯域の受信器のような、アンテナからチャンネル・フィルタを介する受信器のフロント・エンドである。受信器は、一つ以上の無線周波数（ＲＦ）アンプ又は低ノイズ・アンプ（ＬＮＡ）１０３において、一般的に公知であるアンテナ（図示せず）を含むか又は一般的に公知であるアンテナ（図示せず）と相互接続する。ＬＮＡ１０３及び関連する回路はバイパス・スイッチ構成１０５を含み、ＬＮＡは、例えば一実施形態において１８ｄＢである、受信回路における減衰の固定量を切り替えるように動作可能な減衰ステージとして制御可能な状態で利用されることを可能にする。より詳細には、操作されるときのスイッチ構成は、受信信号のゲイン量を抑制する。ＬＮＡ１０３は出力において公知のように、無線周波数信号を中間周波数（ＩＦ）又はベースバンド周波数にダウン変換するために、ミキサ・ステージ１０７に結合される。ミキサ・ステージは、局部発信器（図示せず）により駆動される複素ミキサであり、直交する位相信号成分、例えば公知のように、同相位相（Ｉ）（図１における機能又はチャンネルの上側）及び直交位相（Ｑ）（図１の機能またはチャンネルの下側）信号成分を提供する。
【００１１】
ミキサ・ステージ１０７から、ダウン変換された受信器の信号はローパス・フィルタ１０９によりフィルタリングされる。特に、Ｉチャンネル信号とＱチャンネル信号とは、任意の関心のある帯域を適合させるコーナー周波数のセットを伴う抵抗−コンデンサフィルタのような各々のローパス・フィルタ１０９によりフィルタリングされる。ローパス・フィルタ１０９からの出力又はＩ及びＱチャンネルは、各々可変ゲイン・アンプ（ＰＭＡ〜後置ミキサ・アンプ）１１１に結合される。ＰＭＡは、ゲイン制御信号に従って受信信号を増幅するように動作可能な可変アンプである。ＰＭＡはゲイン制御入力１１３を介して可変又は制御可能なゲインを有し、可変制御信号に応答する可変減衰器として利用され、受信信号（Ｉ及びＱチャンネル）の減衰又はゲインの可変量を提供する。幾つかの実施形態におけるＰＭＡ１１１は、Ｉ及びＱチャンネル信号に対して公称３ｄＢ毎に約−３０〜＋１５ｄＢ（４５ｄＢの範囲）を提供するように構成される。ＰＭＡ１１１の出力はＩ及びＱチャンネルの各々で更にローパス・フィルタ１１５に結合される。一つ以上の実施形態において、これらのローパス・フィルタは、実ポールを有する６ｄＢの反転増幅器、二つの複素ポールと恒等ゲインとを有する二つの能動バイカッド・フィルタリング・ステージ、及び出力バッファとして実現される。一つの実施形態において、アナログ・ベースの集積回路は、ローパス・フィルタ１１５を介するミキサ・ステージ１０７を含む。
【００１２】
一つ以上の実施形態において、ローパス・フィルタ１１５の出力は、アナログ・デジタル変換器、様々なデジタル回路及びデジタル信号処理ベースの機能を含むデジタル集積回路に結合される。特に一実施形態において、ローパス・フィルタ１１５の出力はアナログ・デジタル変換器（ＡＤＣ）に結合され、Ｉ及びＱチャンネル信号毎に一つのＡＤＣを有する。ＷＣＤＭＡ受信器に適した一実施形態において、ＡＤＣは、１２倍でオーバー・サンプリングされ（ＷＣＤＭＡ信号のチップ速度は３．４８Ｍチップ／秒である）、且つ４６．０８Ｍ  ｗ／ｓ（毎秒百万ワード）の速度で６ビットの出力ワードを提供する、二次のΣΔベースのＡＤＣである。ＡＤＣ１１７からの出力は、通常の受信データ経路１１９とオフチャンネル処理経路１２１とに結合される。
【００１３】
受信データ経路１１９は、例えば端子１２５でオンチャンネルの自動ゲイン制御（ＡＧＣ）インジケーションを提供するように配置され且つ構成されるオンチャンネル検出器１２３を含む。オンチャンネル検出器１２３はオンチャンネルＡＧＣ検出器又は狭帯域ＡＧＣ検出器と呼ばれる。受信データ経路１１９は、Ｉ及びＱ信号をＡＤＣ１１７から間引く、高次のデシメーション・フィルタ１２７を含む。一実施形態における高次のデシメーション・フィルタは、公知の３ステージの連続くし型フィルタを利用してＩ及びＱ信号を３毎に間引き、１５．３６ＭＨｚの速度で１４ビット・ワードを備える出力信号を提供する。デシメーション・フィルタ１２７はＩ及びＱ信号をチャンネル・フィルタ１２９、特にＩ及びＱチャンネル・フィルタに提供する。一つ以上の実施形態におけるチャンネル・フィルタは、各入力信号を２毎に更に間引く公知の半帯域型のフィルタを含む。半帯域フィルタには、システムにおいて他のフィルタ等に対する保障を提供し、７．６８ＭＨｚで動作して７．６８ＭＨｚで１３ビット・ワードを備える出力信号を提供する、Ｉ及びＱ合致選択性フィルタが続く。チャンネル・フィルタ１２９からの出力信号は更なる受信処理１３１（復調、エラー補正、その他、その他は本開示にとって重要ではない）だけでなく、オンチャンネルＡＧＣプロセッサに結合される。受信器を介する一連のフィルタリングを合成した応答は、例えばＷ−ＣＤＭＡ信号用の１．９２〜２．０ＭＨｚのような、対象となる受信信号に適する帯域のコサイン応答の平方根を提供するように配置され且つ構成される。幾つか又は全てのデジタル・フィルタ又は他のデジタル信号処理は二重の作業を実行する、すなわちＩ及びＱチャンネル信号間で多重化されるので、集積回路の実施形態におけるシリコン領域を節約することに留意されたい。
【００１４】
オンチャンネルＡＧＣプロセスは、オンチャンネル電力検出経路として例示の形態で示されるように、様々な実施形態において、オンチャンネル信号レベル検出器を含む。オンチャンネル電力検出経路は、Ｉ及びＱチャンネル信号をプログラム可能な帯域幅に渡ってサンプリングし、フィルタリングし、且つ積分し、蓄積／規格化された値をｄＢに変換し、次に受信信号強度インジケーション（ＲＳＳＩ）値を計算する。この情報が利用されて、ＰＭＡ１１１のゲイン又は減衰を制御し、「通常の」環境の下で所望の帯域のＬＮＡ１０３を切り替える。オンチャンネル電力検出は、検出された電力又はオンチャンネル電力レベルを計算するために利用される二乗の和（Ｉ２＋Ｑ２）を計算する平方和関数１３３を含む。平方和関数１３３はまた、オンチャンネルＡＧＣに入力される帯域内Ｉ及びＱチャンネル信号又はデータ・ストリームをフィルタリングし且つ蓄積する。ＩＩＲ  ＨＰフィルタ（特に図示せず）が平方和関数１３３の前に配置され、入力データ・ストリームのプログラム可能なハイパス・フィルタリング（コーナー周波数が約１００ｋＨｚ）を実行して、ミキサ・ステージ１０７又は類似物から生じる任意のＤＣオフセットを除去する（これはループの安定性を保証する）。
【００１５】
平方和関数１３３は、例えば電力レベルである、オンチャンネル信号レベルに対応する出力信号を提供する、公知の蓄積及びダンプ・フィルタ（Ａｃｃｕｍｕｌａｔｅ−ａｎｄ−Ｄｕｍｐ  ｆｉｌｔｅｒ）であるループ・フィルタ１３５に結合される。一つ以上の実施形態におけるループ・フィルタ１３５は、約１０００チップ（２６０マイクロ秒）を蓄積するように設定される。フィードバック遅延を伴う蓄積タイマとデータ変換遅延とにより、約２７０マイクロ秒毎の更新が可能になる。大領域に対するループ・フィルタにより、オンチャンネル制御ループのダイナミクスが確立されることが、当業者には明らかであろう。ループ・フィルタの出力と対応する信号とは、ＲＳＳＩ値を比較／ヒステリシス機能１３９だけでなく１４１における他の受信処理機能へ提供する、ＲＳＳＩ計算器１３７に結合される。ＲＳＳＩ計算器は、ＲＳＳＩ値を調整するために利用され、故にＲＳＳＩ値がアンテナにおける電力の入力を表す、例えばＬＡＮ１０３又はＰＭＡ１１１などの様々なゲイン制御ステージで提供される任意の減衰の原因となるＡＧＣ制御入力１４３を含む（以下で更に説明される）ことに留意されたい。比較／ヒステリシス機能１３９は、例えばオンチャンネル電力レベルなど、オンチャンネル信号レベルと、プログラム可能なオンチャンネル閾値とを比較する。次に、比較／ヒステリシス機能は、検出されたオンチャンネル電力がプログラム可能なオンチャンネル閾値（の上又は下）を満たすか否かを検査して、例えばＰＭＡ又はＬＮＡのより大きな又は小さな減衰が必要とされているか否かを判定する。このことは、端子１２５におけるオンチャンネルＡＧＣインジケーションにおいて反映される。オンチャンネルＡＧＣシステムは、ある程度の正確性を有することが必要とされているということは明らかであろう。従って、端子１２５におけるＡＧＣインジケーションは大きさと符号との両者を含み、大きさはＲＳＳＩ値と閾値との間の差の量を示し、故に必要とされる減衰における変化量を示す。ヒステリシスは、例えば、オンチャンネルＲＳＳＩ値が上回るときに、より多くの減衰が必要とされる／適切であることを示す高閾値と、ＲＳＳＩがより低い閾値を下回るときに、より小さな減衰が必要とされる低閾値とのような、二つの異なる閾値を適用するように動作するということに留意されたい。高及び低閾値を適切に選択することにより、オンチャンネルのＡＧＣループによる異なるゲイン又は減衰の設定の間のハンティング又はトグリングは低減される。オンチャンネルのＡＧＣインジケーションは、以下に記載されるオンチャンネルの状態マシン又はコントローラ１４３に結合される。
【００１６】
オフチャンネル処理経路１２１はオフチャンネル信号検出器１４５を含み、例えば端子１４６，１４７において、又は端子１４９におけるＯＲゲート１４８を介して一つ以上のオフチャンネルＡＧＣインジケーションを提供するように配置され且つ構成される。オフチャンネル信号検出器は広帯域ＡＧＣ検出器とも呼ばれ、一つ以上の実施形態においてデジタル広帯域検出器である。広帯域検出器経路は、ＡＤＣ１１７からのＩ及びＱチャンネル信号をサンプリングし、フィルタリングし、且つ積分して、図２を参照して以下で簡単に更に説明されるように、受信器システムの帯域に入り込む、隣接するチャンネル又は他の搬送は又は他の干渉信号からの例えば他のＷ−ＣＤＭＡ信号またはＧＳＭ信号など、変化するタイプの干渉信号の信号レベルのような、オフチャンネル信号レベルの評価を提供する。
【００１７】
オフチャンネル信号検出器は、例えばＡＤＣ１１７からのＩ及びＱデジタル信号の各々に対するフィルタである、一実施形態において低次のデシメーション・フィルタ１５１である、広帯域デシメーション・フィルタを備える。一実施形態において、デシメーション・フィルタ１５１は、くし型フィルタリングの一ステージを提供する。様々な実施形態が、高次デシメーション・フィルタ１２７におけるくし型フィルタリングの一ステージの後のインターリブされたＲＸ＿ＩＱ信号を利用することに留意されたい。デシメーション・フィルタリングの一つのステージにより、オフチャンネル信号検出器が広帯域に亘ってオフチャンネル干渉を測定することが可能になり、故に７．２ＭＨｚ，３．５ＭＨｚ又は隣接する５ＭＨｚチャンネルにおける隣接するＷ−ＣＤＭＡ干渉における干渉を測定する。低次のデシメーション・フィルタ１５１からの出力は、ハイパス・フィルタ（ＨＰＦ）１５３に結合される。ＨＰＦ１５３は、コーナー周波数が２．５〜２．６ＭＨｚの周辺である無限インパルス応答フィルタである。ＨＰＦ１５３は（コーナー周波数又は帯域、ゲイン等を）プログラム可能であり、例えばＩ及びＱチャンネル信号のような入力データ・ストリームをハイパス・フィルタリングする。ＨＰＦはオンチャンネル信号を除去又は減衰し、故にオフチャンネル検出器により検出される信号が何であれ、オフチャンネル信号又は干渉であることを保障する。
【００１８】
ＨＰＦ１５３からの出力は、広帯域電力検出器１５５と広帯域ピーク検出器１５７とに結合される。一実施形態における広帯域電力検出器は平方和関数１５５を備える。平方和関数は、ループ・フィルタ１５９に結合される出力を含む。これらは、上で記載されたように、オンチャンネル経路に類似した方法で集合的に動作する。様々な実施形態において、広帯域電力検出器は、隣接するチャンネルのＷＣＤＭＡ信号のような信号の電力レベルを検出するように有利に利用されることに留意されたい。ループ・フィルタ１５９の出力は、例えば干渉電力レベルのような検出された電力レベルを、１６３で利用可能な一つ以上の電力又は広帯域閾値と比較する、例えば、比較器／ヒステリシス・ブロック１６１のような比較器に結合され、その結果、広帯域干渉閾値に基づいて、例えばＰＭＡが指定される、より多くの又はより少ない減衰が示されるか否かを判定する。比較／ヒステリシス・ブロック１６１は、端子１４６におけるオフチャンネル電力レベルに対応するオフチャンネルＡＧＣインジケーション又はオフチャンネル広帯域指示を提供する。
【００１９】
広帯域ピーク検出器１５７は、信号のエンベロープの高さを評価する公知のピーク検出器を備える。ピーク検出器により検出されるピーク・レベルのインジケーションは、ループ・フィルタ１６５に結合される。ループ・フィルタ１６５はループ・フィルタ１３５に類似し、且つループ・フィルタ１３５に類似する機能を実行する。しかし一つ以上の実施形態において、積分時間は短く、例えば１００〜５００チップ又は約２５〜１３０マイクロ秒であり、約３０〜１３５マイクロ秒の周期で更新を行う。様々な実施形態において、広帯域ピーク検出器は有利に利用されて、例えばＧＭＳ信号のような隣接するチャンネルの狭帯域干渉のような信号のピーク・レベルを検出する、ということに留意されたい。ループ・フィルタ１６５の出力は例えば他の比較器／ヒステリシス・ブロック１６７のような比較器に結合されて、例えば干渉ピーク・レベルのような検出されたピーク・レベルを１７１において利用可能な一つ以上のピーク又は狭帯域干渉閾値と比較し、故に、狭帯域干渉閾値に基づいて、例えばＰＭＡ１１１のより大きい又はより少ない減衰が指示されるか否かを判定する。ピーク閾値が、例えば一実施形態において、ピーク閾値は電力閾値よりも約６〜１２ｄＢ大きく選択されるように、上記電力閾値から変動するか又は上記電力閾値と比較して独立に選択される、ということに留意されたい。ループ・フィルタ１５９，１６５は、独立に調整又はプログラムされる各々の蓄積時間も有することに留意されたい。比較器／ヒステリシス・ブロック１６７は、端子１４７におけるオフチャンネル・ピーク・レベルに対応するオフチャンネルの広帯域ＡＧＣインジケーションを提供する。ＡＧＣインジケーションに基づく電力及びピークはＯＲゲート１４８でＯＲ判定され、オフチャンネル状態マシン又はコントローラ１７３に結合される。コントローラ１７３はコントローラ１４３に相互接続されていることに留意されたい。
【００２０】
オンチャンネル・コントローラ１４３とオフチャンネル・コントローラ１７３とは、オンチャンネルＡＧＣインジケーションとオフチャンネルＡＧＣインジケーションとに各々結合されて、オンチャンネルＡＧＣインジケーション又はオフチャンネルＡＧＣインジケーションに対応するゲイン制御信号を提供するように構成されるコントローラとして集合的に機能する。故にコントローラは、オンチャンネルＡＧＣインジケーションに結合されるオンチャンネル・コントローラと、オフチャンネルＡＧＣインジケーションに結合されるオフチャンネル・コントローラとを備え、オンチャンネル・コントローラとオフチャンネル・コントローラとは協調して動作して、ゲイン制御信号、特に複数の制御ライン（ＰＭＡ［Ｍ：０］，ＬＮＡ［０］，…ＬＮＡ［Ｎ］）を備える１７５におけるデジタルゲイン制御信号を提供する。ＰＭＡ［Ｍ：０］は４ビットの制御信号をデジタル・アナログ変換器（ＤＡＣ）１７７に搬送する。制御信号はＤＡＣ１７７によりアナログ・ゲイン制御信号に変換されて、故にこの信号はゲイン制御信号１１３として利用されてＰＭＡ１１１のゲイン又は減衰を調整する。以下で図３及び図４を参照して更に説明されるように、オンチャンネル及びオフチャンネル・コントローラは、オフチャンネル干渉を有する又は有さない、オンチャンネルＡＧＣ制御モードと、一つ以上の実施形態においてオンチャンネルＡＧＣ検出器システムは動作し続け、且つ上記ＲＳＳＩ信号を提供し続け、ＬＮＡを制御し続けるが、（少なくともＰＭＡ部における）オンチャンネルＡＧＣ制御が停止されているか又は利用不可能である、オフチャンネルＡＧＣ制御モードと、オンチャンネルＡＧＣ回復モードとを含む様々なモードで協調して動作する。例えば、オンチャンネルＡＧＣインジケーションが、オンチャンネル閾値を下回るオンチャンネル信号に対応するか又は、幾つかの実施形態においてオンチャンネル閾値を上回り、オフチャンネルＡＧＣインジケーションがオフチャンネル閾値を上回るオフチャンネル信号に対応するとき、オンチャンネル・コントローラが停止されて、オフチャンネル・コントローラがゲイン制御信号を提供する。
【００２１】
図２を参照して、受信器及び図１のＡＧＣシステムにより観測されるオンチャンネル及び様々なオフチャンネル信号の周波数依存の例示的なグラフが簡潔に説明され且つ記載される。横軸２０１はオンチャンネル信号２０２の中心周波数と比較した周波数を示し、縦軸２０３は相対振幅又は相対電力である。オンチャンネル信号２０５は−１００ｄＢｍ（受信器の感度）を下回り、５ＭＨｚのチャンネル間隔で、３．８〜４．０ＭＨｚの両側３ｄＢの帯域を占有する。隣接するチャンネルに位置する、例えばＵＭＴＳ又はＷ−ＣＤＭＡのような類似する信号２０７は、オンチャンネル信号の中心周波数から取り除かれた５．０ＭＨｚの周波数を中心として、約４．６ＭＨｚの帯域を占有し、−５２ｄＢｍ（すなわちオンチャンネル信号よりも４８ｄＢｍだけ高い）高さを有する。この干渉信号は、−２５ｄＢｍまでオンチャンネル信号２０２に伴いｄＢ毎に増加する。オンチャンネル信号の比較的近くに配置される他の信号又は干渉信号は、２．７ＭＨｚ地点に示される一つのＧＳＭ信号２０９を有する（約２５ｋＨｚの帯域幅の）ＧＳＭ信号と、３．５ＭＨｚ地点に示される他のＧＳＭ信号２１１のような狭帯域干渉であり、各々は（一つのチャンネル信号よりも５６ｄＢｍだけ大きい）−４４ｄＢｍである大きさ又は電力を有する。別の干渉が存在してもよい（図示せず）ことに留意されたい。これらの干渉信号は、オンチャンネル信号と共にｄＢ毎に生じることが同様に許される。図２は、ハイパス・フィルタ１５３の一実施形態を表す、例示的な周波数応答曲線２１３も示している。オンチャンネル信号はハイパス・フィルタにより大きく減衰されるが、オフチャンネル干渉は減衰されないことに留意されたい。
【００２２】
図２は、経済的要因だけでなく、電力消費、大きさ及び重量の要因を含む様々な要因のために本質的に制限される動的範囲を有するＡＤＣ１１７の前、すなわちＡＤＣ１１７又は他の後の機能に選択の余地がほとんど無い又は制限される受信器に生じる様々な問題を図示しており、ＡＤＣ１１７には、信号２０７，２０９又は２１１のような大きなオフチャンネル干渉信号により過負荷がかかる（動的範囲を超える）。従来のオンチャンネルＡＧＣシステム（１２３参照）は、その信号固有の受信を容易にするためにオンチャンネル信号の受信信号強度（ＲＳＳＩ）をある解像度で提供しなければ成らないので、オフチャンネル干渉を起こすような周波数範囲を占有することは無い。オンチャンネルＡＧＣシステムは、ほとんど又は全システムのフィルタリングが実行された（高次デシメーション・フィルタ１２７及びチャンネル・フィルタ１２９参照）後に狭帯域オンチャンネル信号を処理し、従って、信号２０７〜２１１のようなオフチャンネル信号を測定せず、故に、例えばＡＤＣ１１７で発生する、いかなる過負荷条件も避ける又は緩和することができない。本発明に従う一つ以上の実施形態は、これら及び多の問題を有利に扱う。周波数応答曲線２１３を有するハイパス・フィルタ１５３の観点において、オフチャンネル検出器１２１はオフチャンネル信号レベルを特に評価し、全受信システムの適切なゲイン制御をオンチャンネルＡＧＣシステムと協調して容易にする。
【００２３】
図３及び図４を参照すると、図１のシステムのような一つ以上の実施形態に従うＡＧＣシステムにおける方法のフロー図が説明され且つ記載される。文脈が適切である場合、これらの方法が図１を参照して説明されるが、方法は図１のシステムで実施され、且つ以下の説明に従う、提供される概念又は原理が利用される多の適切に構成される装置により実施又は実践されてもよいことが認識されるであろう。
【００２４】
図３及び図４は、受信器において自動利得制御（ＡＧＣ）を容易にする方法３００及び４００を図示している。方法は、（１３７からのＲＳＳＩデータに対応する）オンチャンネルＡＧＣインジケーション（４０１）と（１５９又は１６５からの出力データに対応する）オフチャンネルＡＧＣインジケーション（３０１）とを提供すること、オンチャンネルＡＧＣインジケーションとオフチャンネルＡＧＣインジケーションとの内の少なくとも一つを選択すること、選択に応じて、オンチャンネルＡＧＣインジケーションとオフチャンネルＡＧＣインジケーションとの内の少なくとも一つに依存するゲイン制御信号を提供することを含む。各ＡＧＣデータまたはインジケーションが与えられると、天秤状の図３及び図４は以下で更に説明されるように、適切なデータ又はインジケーションを選択して、選択に依存する固有のゲイン制御信号を提供すること及び他の項目に多くが割かれていることに留意されたい。オンチャンネルＡＧＣデータ又はインジケーションは、強い信号閾値（単独で過負荷条件をもたらす大きなオンチャンネル信号）よりも大きくても小さくてもよく、或いは通常の（例えば低い方の）オンチャンネル閾値よりも大きくても小さくてもよいことに留意されたい。オフチャンネル・データ又はＡＧＣインジケーションは、大きなオフチャンネル信号又はインジケータが存在することを示す、（電力又はピークの）ＨＩ閾値よりも大きくても小さくてもよく、或いは大きなオフチャンネル信号がもはや存在しないことを示す、ＬＯＷ閾値よりも大きくても小さくてもよいことにも留意されたい。図３及び図４の様々な方法又はプロセスが連動して、オンチャンネル及びオフチャンネルＡＧＣデータまたはインジケーションの様々な状態に依存する適切なゲイン制御信号を提供する。
【００２５】
図３を参照すると、対応するコントローラ（例えばオフチャンネル検出器１２１及びオフチャンネル・コントローラ１７３）を含むオフチャンネルＡＧＣシステムに割り当てられるプロセスが図示される。始めに、オフチャンネル・データが準備完了であるか否かが判定される。このデータは、ＡＤＣの出力から受信される信号をハイパス・フィルタリングした結果として利用可能になり、例えば干渉信号を提供する。このことにより、最後のＡＧＣゲイン制御更新又は類似物から生じる、ループ・フィルタ１５９，１６５の出力で利用可能である任意の新規データに対して十分な時間（フィードバック遅延、フィルタ蓄積時間、データ送信等）を考慮に入れる。このオフチャンネル又は入力データ（フィルタ１５９，１６５の出力）は、様々な閾値に対して検査されるか又は比較される。例えば干渉（例えばＷ−ＣＤＭＡ又はＵＭＴＳ信号に対応する）のオフチャンネル電力レベルを表すデータは、電力閾値と比較されるのと同時に、（例えばＧＳＭ信号に対応する）干渉のオフチャンネル・ピーク・レベルを表すデータは、ピーク閾値と比較される。この検査又は比較に基づいて、３０５又は３０７へ続く。
【００２６】
オフチャンネルＡＧＣデータ又はインジケーションがＨＩ閾値を越え、故に、例えば干渉などの強いオフチャンネル信号が存在し、それにより、例えばＰＭＡにおけるゲインを低減することが適切であることを示唆している場合を考える。３０５において、このような環境の下で必須ではないが、方法は最初に検査を行って、オンチャンネル・データ又はＡＧＣインジケーションが強い信号閾値（オンチャンネル信号がＡＤＣの負荷又は多の機能を超えるに十分な大きさである）か否かを観測する。オンチャンネル・データが強い信号強度以下である場合、一つ以上の実施形態は停止プロセスを初期化するか又は停止プロセスに入って、ＰＭＡ３０９のオンチャンネルＡＧＣ制御を通常は不可能にする。いかなる場合においても、３１１は、ＰＭＡ（又は他の制御可能なゲイン）が（オフチャンネルＡＧＣ制御の下で）低減されることを示し、方法は３０１から繰り返す。故に、オンチャンネルＡＧＣインジケーションとオフチャンネルＡＧＣインジケーションとを提供することは、一つ以上の実施形態において、オフチャンネル又はＨＩ閾値を満たす干渉に対応するオフチャンネルＡＧＣインジケーションを提供すること、必須ではないが強い信号閾値を満たさないオンチャンネル信号に対応するオンチャンネル・インジケーションを提供することを更に備える。この場合選択することは、オフチャンネルＡＧＣインジケーションを選択することを更に備え、ゲイン制御信号を提供することは、オフチャンネルＡＧＣインジケーションに応答するゲイン制御信号を提供することを更に備える。
【００２７】
オンチャンネルＡＧＣデータ又はインジケーションが強い信号閾値を満たす場合３１３は、必須ではないが、ＡＧＣシステムのオンチャンネル制御が続いていることを示す。故に、オンチャンネルＡＧＣインジケーションとオフチャンネルＡＧＣインジケーションとを提供することは、オンチャンネルの強い信号閾値を満たすオンチャンネル信号に対応するオンチャンネル・インジケーションを提供することを更に備える。これらの実施形態において選択することは、オンチャンネルＡＧＣインジケーションを選択することを更に備え、ゲイン制御信号を提供することは、強い信号ＡＧＣインジケーション（通常の閾値未満の強い信号ＲＳＳＩ）に応答するゲイン制御信号を提供することを更に備える。オフチャンネルＡＧＣインジケーションがオフチャンネル閾値の一つを満たす干渉に対応するとき、オフチャンネルＡＧＣシステムは通常、オンチャンネルＡＧＣインジケータとは無関係にゲイン制御信号を制御し且つ提供することに留意されたい。例外は、必須ではないが、オンチャンネルＡＧＣインジケータが大きな信号閾値を満たす場合である。
【００２８】
オフチャンネルＡＧＣ制御及びオンチャンネルＡＧＣ制御を利用不可能にすることは、以下で更に説明するように図３の処理と図４の処理との間の相互作用及び協調機能を必要とすることに留意されたい。図１において図示されているように、この相互作用又は協調機能は、オフチャンネル及びオンチャンネル・コントローラ１７３，１４３の間で提供される。オンチャンネルＡＧＣが利用不可能なときでさえ、ＲＳＳＩ計算機能は動作し続け且つＲＳＳＩデータ１４１を提供し続け、更にＬＮＡは様々な実施形態において通常、オンチャンネルＡＧＣ制御の元にあることに留意されたい。
図１において、ＰＭＡ又は類似物を低減させることは、ＰＭＡ［Ｍ：０］（又はＬＮＡ［Ｍ］，…，ＬＮＡ［０］）上の信号が提供されて、それによりＰＭＡのゲインが適切になるように調整されることを意味する。様々な実施形態において、オフチャンネルＡＧＣシステムが受信器のゲインを制御しており、それにより受信器のゲインの過保障とオンチャンネル信号受信のための受信器の非固有の動作を避けるときに、例えば３ｄＢの小さなゲイン低減ステップを利用してＰＭＡ又は類似物を低減することが有利であることがわかっていることに留意されたい。本質的に、これが上記停止プロセスである。このことにより低コストの利用と恐らく実際のオフチャンネル検出器をより少なくすることが可能になる。
【００２９】
オフチャンネル・データ又はＡＧＣインジケーションがＨＩ閾値（ピーク又は電力閾値）を超えず、ＡＧＣオンチャンネルＰＭＡ制御システムが停止される場合を考えると、次にオンチャンネルＡＧＣシステムのＡＧＣ制御を延期して、方法は３０１から続く。ＡＧＣの方法がすでに停止されている場合（３０９参照）、３１５において、オフチャンネル・データがＬＯＷ閾値３１５（幾つかの実施形態において、ＨＩ閾値より４ｄＢ〜６ｄＢ小さい）と比較される。上記のように、ＨＩ及びＬＯＷ閾値はヒステリシス機能１６１，１６７の一部である。オフチャンネルＡＧＣインジケーション又はデータがＬＯＷ閾値未満でなければ、例えばオンチャンネルＡＧＣ  ＰＭＡ制御を不可能にし、ＰＭＡを減少させ続けて、停止プロセス３１７を続ける。オフチャンネルＡＧＣデータがＬＯＷ閾値未満である場合、オンチャンネルＡＧＣプロセスを回復モードにする。すなわち、オンチャンネルＡＧＣ制御を可能にするが、恐らく通常よりも高速で小さなゲイン変化のみを可能にする。このようにして、図３の方法は、オフチャンネルＡＧＣインジケーションがもはや（ヒステリシスを考慮に入れた）オフチャンネル閾値を満たさなくなるまでゲイン制御の提供とＰＭＡの減少を本質的に繰り返し、次にオンチャンネルＡＧＣ制御が利用可能であり、且つゲイン制御信号を提供することがオンチャンネルＡＧＣインジケーションに起因する、回復モードを初期化又は可能にする。このことは、以下の図４の説明を与えることにより、より明白になる。
【００３０】
図４を参照して、図１のようなＡＧＣシステムにおける方法の他のフロー図が説明され且つ記載される。方法は４０１において開始され、オンチャンネルＡＧＣインジケーション又はデータを提供する。すなわち、ＲＳＳＩ計算機能１３７の出力におけるデータが利用可能であり、例えば、ゲイン制御等の任意の更新が成され、ループ・フィルタはデータを蓄積する時間を有する。４０５において、オンチャンネルＡＧＣシステムの状態が検査される。オンチャンネルＡＧＣシステムは、例えばオンチャンネルＰＭＡ制御が利用不可能であるような（３９０より）、停止状態にあり、この状態において、ＰＭＡ又は類似物の更新はオンチャンネルＡＧＣにより提供されない（４０７）。オンチャンネルＡＧＣシステムは回復状態にあり（４０９）、この状態において、ゲイン制御信号はオンチャンネルＡＧＣインジケーションに従って提供されるが、小さな最大ゲイン変化（幾つかの実施形態においては３ｄＢ）が、回復プロセスが終了するまで任意の一回において可能である。基本的に一つ以上の実施形態において、回復フェーズは、プロセス又は方法４００の例えば４〜１０回である、所定の最大値の繰り返しのカウント数又はループ数である。方法が回復状態にある場合、４１１は回復カウントを検査することを示し、カウント数が所定の数に等しい場合、回復フェーズ又はプロセスは終了し（４１３）、プロセスは４０１から続く。回復カウントが所定の数未満である場合（４１５）、回復カウントに１が加えられ、回復は継続し、方法は４０１から続く。更新間の時間は、例えばループ・フィルタ１３５の蓄積時間のプログラミングを介して変更されることに留意されたい。オンチャンネルＡＧＣプロセスまたはシステムが停止状態又は回復状態でない場合（４１７）、通常のオンチャンネルＡＧＣが実行される。すなわち、オンチャンネルＡＧＣインジケーション又はデータが選択され、ゲイン制御信号がオンチャンネルＡＧＣインジケーションに応答して提供される。オンチャンネルＡＧＣシステムが回復段階で無い場合、小さな最大ゲイン変化（幾つかの実施形態は３ｄＢ）よりもはるかに大きな（幾つかの実施形態では例えば１０〜１５ｄＢ）大きさが可能であることに留意されたい。
【００３１】
図１〜図４を参照した上記説明は、例えば、受信器の自動ゲイン制御（ＡＧＣ）を容易にする集積回路として有利に埋め込まれる、ＡＧＣシステムの様々な独創的な概念及び原理を記載してきた。集積回路は、狭帯域ＡＧＣ検出器１２３と、デジタル広帯域ＡＧＣ検出器１４５と、狭帯域ＡＧＣ検出器とデジタル広帯域ＡＧＣ検出器とに結合され、ゲイン制御信号を提供するように構成されるコントローラ１４３，１７３とを含む。集積回路は、制御可能なゲイン・アンプ（ゲイン制御信号に結合される制御入力１１３を有するＰＭＡ１１１）と、受信器の信号に結合される入力と、ゲイン制御信号と制御可能なゲイン・アンプの出力に結合される入力を有するアナログ・デジタル変換器（ＡＤＣ）１１７とにより調整されるレベルで受信器の信号を提供するように構成される出力とを更に含む。様々な実施形態において、狭帯域ＡＧＣ検出器はＡＤＣの出力とオンチャンネル信号レベル検出器１２３とに結合される狭帯域幅フィルタ（フィルタ１２７，１２９の組み合わせ）を更に備え、デジタル広帯域ＡＧＣ検出器は、ＡＤＣの出力に結合される広帯域幅フィルタ１５１と、広帯域幅フィルタの出力とオフチャンネル干渉レベル検出器１５５，１５７とに結合されるハイパス・フィルタ１５３とを更に備える。
【００３２】
図５を参照して、様々なシミュレーション結果が図１のＡＧＣシステムのゲイン制御曲線５００を示す。このグラフにおいて、停止信号又はフラグ５０１は、停止プロセス５０２，５０４が初期化されるときに（５０３，５０５）「１」に設定される。停止は、大きなオフチャンネル信号又は干渉の存在により引き起こされる。停止において、ＰＭＡ５０７のゲインは３ｄＢ毎に低減される（ように幾つかの実施形態においてプログラムされる）ことに留意されたい。例えば最初の停止において、ゲインは１２ｄＢから−３ｄＢまで５ステップで低減される。
【００３３】
回復プロセス５１０，５１２が初期化されるときに（５１１，５１３）、回復フラグ５０９又は信号が「１」に設定され、停止フラグ又は信号５０１が「０」に設定される。こうして、第一の回復が始まり、小さな最大ゲイン変化（３ｄＢ）が利用されてＰＭＡのゲインが−３ｄＢから６ｄＢまでゆっくりと増加する。回復において、段差は正でも負でもよいことに留意されたい。第一の回復プロセスの期間の回復カウント５１５は５から２に低減されることに留意されたい。この回復は、恐らく５０５における他のオフチャンネル干渉信号により中断され、第二の停止プロセスが始まる（５０５）。第二回復５１２は５１３で開始されるが、この場合ＰＭＡゲインは−９から−２７まで更に低減され、カウンタは５から０に低減され、回復フラグが「０」に設定され、通常のオンチャンネルＡＧＣ制御が５１７において開始される。通常の制御において、より大きなゲイン変化を有する段差が可能である。
【００３４】
図６を参照して、図１のＡＧＣシステムのオンチャンネル・ゲイン制御を示す別の曲線が説明され且つ記載される。図６は、指定された信号レベル（ＲＳＳＩ値）６０１と、ＲＳＳＩ計算の入力における実際の信号レベル６０３と、ＬＮＡゲイン制御信号６０５と、ＰＭＡゲイン６０７とを、オンチャンネル入力信号レベル６０９の関数として示している。入力信号レベルの上昇に従い、ＰＭＡのゲインが減少していることに留意されたい。ＬＮＡがバイパスされる（ゲイン制御信号が０になる）とき（６１１）、ゲインの置換が発生して、ＰＭＡゲインが増加する。一旦全利用可能なゲイン制御又は減衰が発生すると、ＲＳＳＩ計算器の入力における信号レベルは増加する（６０３）。
【００３５】
図７を参照して、図１のＡＧＣシステムのオフチャンネル・ゲイン制御を示す別の曲線が説明され且つ記載される。図７は、１０ＭＨｚのオフチャンネルである信号が、ＡＤＣにおいて過負荷が発生する点まで大きさ（横軸７０１）が増加する状況を示す。広帯域又はオフチャンネル検出器はＰＭＡ７０３のゲインに応答してＰＭＡ７０３のゲインを低減する。ＬＮＡは停止又はバイパスされず（７０５）、ＲＳＳＩ信号７０７（ＲＳＳＩ計算の出力）、７０９（ＲＳＳＩ計算の入力）は、増加が制限される。
【００３６】
ゲイン制御を提供するように配置され且つ構成されて、オフチャンネル干渉に対抗する保護を制限した受信器において、このような干渉のインパクトを緩和する受信器用自動ゲイン制御システムが説明され且つ開示された。一般に、自動ゲイン制御は、干渉が存在するとき及びそのような干渉が存在しないときに、適切なゲイン制御信号を提供するように連動する、オフチャンネルＡＧＣ検出器とコントローラとだけでなく従来のオンチャンネルＡＧＣ検出器を有利に利用する。
【００３７】
本開示は、その真の及び実際に有望な範囲及び技術思想を制限するのではなくむしろ、本発明に従う様々な実施形態を如何に作成し、如何に利用するかを説明することが意図されている。これまでの記載は、開示されたそのままの携帯で本発明を網羅することも制限することも意図されない。上記教示を考慮すると、改良物又は変更物が可能である。実施形態は、本発明の原理及び実際の応用を最良な形で示して提供し、当業者が本発明を、様々な実施形態で及び特定の意図で利用することに適するように様々な改良をして利用することを可能にするように選択され、且つ記載された。添付される請求項により判定され且つ、本特許出願の継続期間に補正されるこのような改良物及び変更物の全て及びそれらの全ての均等物は、公正な、法的な及び公平な査定の幅に従って解釈されるとき、本発明の範囲に入る。
【図面の簡単な説明】
【００３８】
【図１】本発明に従う自動ゲイン制御（ＡＧＣ）システムの例示的な実施形態の例示的な受信器の図。
【図２】オンチャンネル信号と様々なオフチャンネル信号との周波数の関係を示す例示的なグラフ。
【図３】図１のシステムのようなＡＧＣシステムにおける方法の実施例のフロー図。
【図４】図１のシステムのようなＡＧＣシステムにおける方法の実施例のフロー図。
【図５】図１のＡＧＣシステムのゲイン制御及び様々なシミュレーション・データを示すグラフ。
【図６】図１のＡＧＣシステムのゲイン制御を示す測定データを示すグラフ。
【図７】図１のＡＧＣシステムのゲイン制御を示す測定データを示すグラフ。
【図１】
2008535376.tif 000003
【図２】
2008535376.tif 000004
【図３】
2008535376.tif 000005
【図４】
2008535376.tif 000006
【図５】
2008535376.tif 000007
【図６】
2008535376.tif 000008
【図７】
2008535376.tif 000009
【国際調査報告】
2008535376.tif 000010